(57)【要約】【課題】不使用時にはコンパクトに縮めて省スペース化を図るとともに、使用時は微細水滴の均一化と騒音の低減を図ることのできる微細水滴発生装置を提供することを目的としている。【解決手段】吹出口２を設けた外枠３に出没可能に収納される内枠４と、内枠４に設けられる水槽６、超音波振動子７、水滴分離ネット９からなる微細水滴発生手段１０および送風部１２とを備え、使用時は内枠４に設けた開口部１１と外枠３に設けた吹出口２間にダクト部１３が形成され、微細水滴の均一化と吹出騒音の低減を図ることのできる微細水滴発生装置が得られる。【選択図】図１
2006112705.tif 000002
【特許請求の範囲】
【請求項１】
１面が開口した箱状で反開口側に吹出口を設けた外枠と、この外枠の前記開口から出没可能に収納される内枠とからなる本体と、前記内枠に設けられる水槽と、この水槽の底部に設けられる超音波振動子と、この超音波振動子の上方空間を囲む霧化室と、この霧化室の側面に設けた開口部と、前記霧化室内の浮遊水滴を前記開口部側に送る送風部とを備え、前記外枠から内枠を引き出すことにより、前記内枠に設けた開口部と外枠に設けた吹出口間にダクト部を形成してなる微細水滴発生装置。
【請求項２】
外枠から内枠を引き出したときに開放する内枠開放部に給水タンクを上方から着脱する挿入口を設けた請求項１記載の微細水滴発生装置。
【請求項３】
給水タンクを伸縮可能な蛇腹状に形成し、挿入口と外枠との間に前記給水タンクを収納可能に設けた請求項２記載の微細水滴発生装置。
【請求項４】
ダクト部に連通して外枠の上面と側面に複数の吹出口を設け、ダクト部に設けたダンパーにより吹き出し方向を切り換え可能とした請求項１記載の微細水滴発生装置。
【請求項５】
内枠の天面中央に取手を設け、外枠の天面に前記取手が貫通され摺動する長孔を内枠の引き出し方向に長く形成した請求項１記載の微細水滴発生装置。
【請求項６】
取手の端部を外枠の長孔端部に当接させて内枠の抜け止めとした請求項５記載の微細水滴発生装置。
【請求項７】
内枠の引出し側の端部に支持足部を設け、前記内枠を外枠内に収納したときには外枠の端部に当接する構成とした請求項２記載の微細水滴発生装置。
【請求項８】
ペットボトルのキャップ口に螺合可能な給水栓具を設け、前記給水栓具を前記ペットボトルに螺合することにより給水タンクとして使用可能とした請求項２記載の微細水滴発生装置。
【発明の詳細な説明】
【技術分野】
【０００１】
本発明は、使用時はダンパー部を形成して加湿し、不使用時には、コンパクトに縮めることのできる微細水滴発生装置に関する。
【背景技術】
【０００２】
従来、この種の微細水滴発生装置の一例として超音波加湿器が知られている（例えば、特許文献１参照）。
【０００３】
以下、その超音波加湿器について図６を参照しながら説明する。
【０００４】
図に示すように、本体１０１内に給水タンク１０２より供給された水を保有する気化槽１０３を設け、気化槽１０３には水を振動してエアロゾル化する超音波発振子１０４を設け、給気ファン１０５より送られた空気と気化槽１０３で発生したエアロゾルとを混合する混合部１０６を設け構成している。
【０００５】
また、この種の微細水滴発生装置の一例としてペットボトルを使用した超音波加湿器が知られている（例えば、特許文献２参照）。
【０００６】
以下、その超音波加湿器について図７を参照しながら説明する。
【０００７】
図に示すように、本体１０７の上方部に超音波振動子１０８を設けた霧化槽１０９を設け、霧化槽１０９の側方に通水口１１０を設けたキャップ挿入部１１１を設け、ペットボトル１１２の水を霧化槽１０９に供給するように構成している。
【特許文献１】特開平７−２０８７７６号公報（［０００７］、図１）
【特許文献２】特開２００２−４８３６４号公報（［０００６］〜［０００８］、図３）
【発明の開示】
【発明が解決しようとする課題】
【０００８】
このような従来の超音波加湿器では、使用時も不使用時も同一形状の大形で小形化できないという課題があり、不使用時にはコンパクトに縮めて省スペース化を図ることが要求されている。
【０００９】
また、従来のペットボトルを使用した超音波加湿器では、使用時にペットボトルを設け、不使用時にペットボトルを外すことが可能であるが、本体側においては、使用時も不使用時も同一形状で小形化できないという課題があり、不使用時にはコンパクトに縮めて省スペース化を図ることが要求されている。
【００１０】
本発明は、このような従来の課題を解決するものであり、不使用時にはコンパクトに縮めて省スペース化を図るとともに、使用時は微細水滴の均一化と吹き出し騒音の低減を図ることのできる微細水滴発生装置を提供することを目的としている。
【課題を解決するための手段】
【００１１】
本発明の微細水滴発生装置は上記目的を達成するために、１面が開口した箱状で反開口側に吹出口を設けた外枠と、この外枠の前記開口から出没可能に収納される内枠とからなる本体と、前記内枠に設けられる水槽と、この水槽の底部に設けられる超音波振動子と、この超音波振動子の上方空間を囲む霧化室と、この霧化室の側面に設けた開口部と、前記霧化室内の浮遊水滴を前記開口部側に送る送風部とを備え、前記外枠から内枠を引き出すことにより前記内枠に設けた開口部と外枠に設けた吹出口間にダクト部を形成する構成としたものである。
【００１２】
この手段により、小形化を図ることができ、また、騒音の低減とともに不使用時にはコンパクトに縮めて省スペース化を図ることのできる微細水滴発生装置が得られる。
【００１３】
また、他の手段は、外枠から内枠を引き出したときに開放する内枠開放部に給水タンクを上方から着脱する挿入口を設けたものである。
【００１４】
この手段により、使用時のみ給水タンクを設置するスペースを設けて便利に使用でき、不使用時は外枠内に収めることで給水タンクの挿入口からの埃などの侵入を防止することができる微細水滴発生装置が得られる。
【００１５】
また、他の手段は、給水タンクを伸縮可能な蛇腹状に形成し、挿入口と外枠の間に給水タンクを収納可能に設けたものである。
【００１６】
この手段により、給水タンクとともに小形化して保管できる微細水滴発生装置が得られる。
【００１７】
また、他の手段は、ダクト部に連通して外枠の上面と側面に複数の吹出口を設け、ダクト部に設けたダンパーにより吹き出し方向を切り換え可能としたものである。
【００１８】
この手段により、使用者の好みに応じた吹き出し方向を選択することができる微細水滴発生装置が得られる。
【００１９】
また、他の手段は、内枠の天面中央に取手を設け、外枠の天面に前記取手が貫通され摺動する長孔を内枠の引き出し方向に長く形成したものである。
【００２０】
この手段により、取手をもって安定した移動ができるとともに、内枠のスライド操作も兼用できる微細水滴発生装置が得られる。
【００２１】
また、他の手段は、取手の端部を外枠の長孔端部に当接させて内枠の抜け止めとしたものである。
【００２２】
この手段により、抜け止め用の当て板などの別部品が不要となる。
【００２３】
また、他の手段は、内枠の引出し側の端部に支持足部を設け、前記内枠を外枠内に収納したときには外枠の端部に当接する構成としたものである。
【００２４】
この手段により、使用時は給水タンクの重量を支えるとともに、内枠の収納時の位置決めとなる微細水滴発生装置が得られる。
【００２５】
また、他の手段は、ペットボトルのキャップ口に螺合可能な給水栓具を設け、前記給水栓具を前記ペットボトルに螺合することにより給水タンクとして使用可能としたものである。
【００２６】
この手段により、給水タンクの破損や紛失に対応でき、また、不使用時に給水タンクを保管するスペースが不要となり、本体も小形化できる微細水滴発生装置が得られる。
【発明の効果】
【００２７】
本発明によれば、小形化にでき、また、騒音の低減とともに不使用時にはコンパクトに縮少して省スペース化を図ることができる効果のある微細水滴発生装置が提供できる。
【００２８】
また、給水タンクの挿入口から埃などの侵入を防止することができる。
【００２９】
また、給水タンクとともに、小形化して保管できる微細水滴発生装置が提供できる。
【００３０】
また、使用者の好みに応じた吹き出し方向を選択できる微細水滴発生装置が提供できる。
【００３１】
また、使用時も不使用時も取手をもって安定した移動ができる微細水滴発生装置が提供できる。
【００３２】
また、使用時には給水タンクの重量を支え、内枠の収納時の位置決めとなる効果のある微細水滴発生装置が提供できる。
【００３３】
また、給水タンクの破損や紛失に対応でき、また、不使用時に給水タンクを保管するスペースが不要となり本体も小形化できる微細水滴発生装置が提供できる。
【発明を実施するための最良の形態】
【００３４】
本発明の請求項１に記載の発明は、１面が開口した箱状で反開口側に吹出口を設けた外枠と、この外枠の前記開口から出没可能に収納される内枠とからなる本体と、前記内枠に設けられる水槽と、この水槽の底部に設けられる超音波振動子と、この超音波振動子の上方空間を囲む霧化室と、この霧化室の側面に設けた開口部と、前記霧化室内の浮遊水滴を前記開口部側に送る送風部とを備え、前記外枠から内枠を引き出すことにより前記内枠に設けた開口部と外枠に設けた吹出口間にダクト部を形成してなるものであり、垂直面で回転する水滴分離ネットで、本体高さを押えて小形化でき、また、ダクト部がチャンバーとなり、微細水滴の均一化と吹き出し騒音の低減を図ることができ、不使用時はコンパクトに縮めて保管場所の省スペース化を図ることができ、また、ダクト部の介在により異物や指などが開口部から本体内に挿入できないので安全に使用することができるという作用を有する。
【００３５】
また、請求項２記載の発明は、外枠から内枠を引き出したときに開放する内枠開放部に給水タンクを上方から着脱する挿入口を設けたものであり、使用時のみ外枠から引き出した内枠に給水タンクを設置するスペースを設けて便利に使用でき、不使用時には外枠内に収めることで給水タンクの挿入口が閉鎖され挿入口から埃などが侵入できないという作用を有する。
【００３６】
また、請求項３記載の発明は、給水タンクを伸縮可能な蛇腹状に形成し、挿入口内に給水タンクを収納可能に設けたことにより、不使用時は給水タンクの水を除き、圧縮して小形化し、内枠の挿入口の上部空間に収納することで、給水タンクとともに小形化して保管できるという作用を有する。
【００３７】
また、請求項４記載の発明は、ダクト部に連通して外枠の上面と側面に複数の吹出口を設け、ダクト部に設けたダンパーにより吹き出し方向を切り換え可能としたものであり、微細水滴の吹き出し方向を上方向または水平方向に変更することができ、本体の設置高さ（床置き、卓上、タンスの上など）に対応した吹き出し方向とすることができるとともに、使用者の好みに応じた吹き出し方向を選択することができる作用を有する。
【００３８】
また、請求項５記載の発明は、内枠の天面中央に取手を設け、外枠の天面に前記取手が貫通され摺動する長孔を内枠の引き出し方向に長く形成したものであり、本体を縮めて保管するときも、本体を延ばして使用するときも、取手の位置が内枠とともに移動して、取手が本体の略中央に位置するため、取手を持って運搬するときに、重心を保ちながら安定して移動させることができ、また、取手を用いて内枠のスライド操作も兼用することができ、スライドつまみなどの別部品が不要となる作用を有する。
【００３９】
また、請求項６記載の発明は、取手の端部を外枠の長孔端部に当接させて内枠の抜け止めとしたものであり、取手が長孔から抜けることがなく、内枠の抜け止めを兼用することとなり、抜け止め用の当て板などの別部品が不要となる作用を有する。
【００４０】
また、請求項７記載の発明は、内枠の引き出し側の端部に、支持足部を設け、前記内枠を外枠内に収納したときには外枠の端部に当接する構成としたものであり、内枠端部の支持足部は、内枠を引き出して給水タンクを乗せたときには、給水タンクの重量を支え、内枠を外枠内に収納するときは外枠端部に当接して収納時の位置決めとなるという作用を有する。
【００４１】
また、請求項８記載の発明は、ペットボトルのキャップ口に螺合可能な給水栓具を設け、前記給水栓具を前記ペットボトルに螺合することにより給水タンクとして使用可能としたものであり、給水タンクの代用としてペットボトルの容器を使用可能とすることで、給水タンクの破損や紛失に対応することができ、また、給水タンクを付属しないようにした場合は、不使用時に給水タンクを保管するスペースが不要となり、本体を小形化して保管できるという作用を有する。
【００４２】
以下、本発明の実施の形態について、図面を参照しながら説明する。
【００４３】
（実施の形態１）
図１〜図３に示すように、１面が開口１した箱状で反開口側には上面と側面に複数の吹出口２を設けた外枠３と、外枠３の開口１から出没可能に収納される内枠４とにより本体５を形成する。内枠４内には、下方部に設けられる水槽６と、水槽６の底部に設けられる超音波振動子７と、超音波振動子７の上方空間を囲む霧化室８と、霧化室８内の側面に設けた垂直面で回転する水滴分離ネット９からなる微細水滴発生手段１０と、水滴分離ネット９に対向し設けられる開口部１１と、霧化室８内の浮遊水滴を開口部１１側に送る送風部１２とを設ける。外枠３から内枠４を引き出すことにより開口部１１と吹出口２間にダクト部１３が形成し、ダクト部１３には上面と側面に設けた吹出口２の何れか一方を開放するダンパー１４を設ける。
【００４４】
また、外枠３から内枠４を引き出したときに開放する内枠開放部１５に、伸縮自在な蛇腹状に形成した給水タンク１６を上方から着脱する挿入口１７を設ける。内枠４の天面中央に取手１８を設け、外枠３の天面に取手１８が貫通され摺動する長孔１９を内枠４の引き出し方向に長く形成し、取手１８の端部を長孔１９の端部に当接させて内枠４の抜け止めに形成する。内枠４の引き出し側端部の下方部に支持足部２０を設け、内枠４を外枠３内に収納したときには、外枠３の端部に当接するように設ける。内枠４には制御回路２１を介して超音波振動子７、微細水滴発生手段１０、送風部１２などの電気回路を開閉する電源スイッチ２２と、水槽６には渇水すると装置の運転を停止する渇水停止装置２３および排水口（図示せず）を設け、挿入口１７の底部には、給水タンク１６に設けた給水栓具２４の給水弁（図示せず）を開放する突部２５を設け構成する。
【００４５】
上記構成において、装置の運転時には、まず取手１８を長孔１９に沿って移動し、外枠３より内枠４の内枠開放部１５を露出する。内枠開放部１５に設けた挿入口１７に水を入れた給水タンク１６を装着して給水タンク１６に設けた給水栓具２４の給水弁を突部２５により開放して水槽６に給水する。次に電源スイッチ２２を操作し、制御回路２１を介して超音波振動子７と微細水滴発生手段１０および送風部１２を運転すると水槽６の水が超音波振動子７により霧化し、霧化室８内に送られた微細水滴は送風部１２の送風により微細水滴発生手段１０に送られる。微細水滴発生手段１０に設けた垂直面で回転する水滴分離ネット９により大きな水滴は遠心力で取り除かれて水槽６に戻され、水クラスターと呼ばれるナノサイズの微細水滴は通過し、開口部１１より外枠３と内枠４間に形成されたダクト部１３内に送られる。このときダクト部１３がチャンバーとなり、吹き出し騒音が低減されるとともに微細水滴が均一化され、外枠３に形成されたダンパー１４により切換えられ、上面または側面に設けた吹出口２より吹き出される。
【００４６】
また、水槽６内の水が渇水状態になると、渇水停止装置２３が作動し装置の運転を自動的に停止する。
【００４７】
装置の不使用時には、蛇腹状の伸縮自在な給水タンク１６内の水を排出するとともに、水槽６内の水を排水口（図示せず）より排水することにより、給水タンク１６を縮めて挿入口１７内に収納し、取手１８を長孔１９に沿い移動し、外枠３内に内枠４を収納する。
【００４８】
このように実施の形態１の発明によれば、外枠３内に出没可能に設けられる内枠４により本体５を形成し、内枠４に設けられる微細水滴発生手段１０の気水分離ネット９を垂直面で回転するように設け、内枠４に設けた開口部１１と外枠３に設けた吹出口２間にダクト部１３を形成したので、霧化室８の上方に気水分離ネット用のスペースが不要となり、本体５の高さを抑えて小形化でき、またダクト部１３がチャンバーとなり、微細水滴の均一化および吹き出し騒音の低減を図ることができるとともに、ダクト部の介在により、異物や指などを吹出口２から内枠４内に挿入できず安全に使用できることとなる。
【００４９】
また、外枠３から内枠４を引き出したときに開放する内枠開放部１５に給水タンク１６を上方から着脱する挿入口を設けたので、使用時のみ給水タンク１６を設置するスペースを設けて便利に使用でき、不使用時は外枠３内に収めることで挿入口１７からの埃などの侵入するのを防止できる。
【００５０】
また、給水タンク１６を伸縮自在な蛇腹状に形成し、挿入口１７内に給水タンク１６を収納可能に設けたので、不使用時は給水タンク１６の水を除き、圧縮して小形化し、内枠４の挿入口１７の上部空間に収納することで給水タンク１６とともに小形化することができる。
【００５１】
また、外枠３の上面と側面に吹出口２を設け、ダンパー１４により吹き出し方向を切り換え可能としたので、本体５の設置高さに対応した吹き出し方向とすることができるとともに、使用者の好みに応じた吹き出し方向を選択することができる。
【００５２】
また、内枠４に取手１８を設け、外枠３に取手１８の摺動する長孔１９を設けたので、取手１８の位置が内枠４とともに移動して、取手１８が常に本体５の略中央に位置することにより、取手１８を持って容易に運搬することができ、また、取手１８を用いて内枠４のスライド操作も兼用できる。
【００５３】
また、取手１８の端部を外枠３の長孔１９の端部に当接させて内枠４の抜け止めとしたので、抜け止め用の当て板などの別部品が不要となる。
【００５４】
また、内枠４の引き出し側端部に支持足部２０を設けたので、内枠４を引き出し給水タンク１６を乗せたときは、給水タンク１６の重量を支え、内枠４を外枠３内に収納するときには外側３端部に当接して収納時の位置決めとなる。
【００５５】
（実施の形態２）
図４および図５に示すように、ペットボトル２６のキャップ口２７に螺合可能な給水栓具２４Ａを設け、給水栓具２４Ａをペットボトル２６に螺合することにより給水タンクとして使用可能とした構成とする。
【００５６】
上記構成において、使用時は外枠３Ａから内枠４Ａを引き出し、挿入口１７Ａが露出した状態で水を入れたペットボトル２６の給水栓具２４Ａを挿入口１７Ａの底部に係合し、底部に設けた突部２５Ａにより給水栓具２４Ａの弁を開放して水槽６Ａに給水し、不使用時にはペットボトル２６を取り外し、内枠４Ａを外枠３Ａに収納する。
【００５７】
このように実施の形態２の発明では、給水タンクの代用としてペットボトル２６を使用可能とすることにより、ペットボトル２６は容易に入手できるので、給水タンクの破損や紛失に対応できる。また、給水タンクが元から付属しない構成とした場合は、不使用時に給水タンクを保管するスペースが不要となり、本体５Ａを小形化して保管できる。
【産業上の利用可能性】
【００５８】
内枠内に加熱釜式またはフィルター式の加湿手段を設けることにより、小形化・風量の安定化・低騒音・安全性を確保できる加湿装置として適用できる。
【図面の簡単な説明】
【００５９】
【図１】本発明の実施の形態１の微細水滴発生装置の使用時の断面図
【図２】同微細水滴発生装置の不使用時の断面図
【図３】同微細水滴発生装置の不使用時の斜視図
【図４】本発明の実施の形態２の微細水滴発生装置のペットボトル部分の分解斜視図
【図５】同微細水滴発生装置にペットボトルを装着した状態を示す断面図
【図６】従来の超音波加湿器の断面図
【図７】従来の他の超音波加湿器の断面図
【符号の説明】
【００６０】
１    開口
２    吹出口
３    外枠
４    内枠
５    本体
６    水槽
７    超音波振動子
８    霧化室
１１  開口部
１２  送風部
１３  ダクト部
１４  ダンパー
１５  内枠開放部
１６  給水タンク
１７  挿入口
１８  取手
１９  長孔
２０  支持足部
２４  給水栓具
２４Ａ  給水栓具
２６  ペットボトル
２７  キャップ口
【図１】
2006112705.tif 000003
【図２】
2006112705.tif 000004
【図３】
2006112705.tif 000005
【図４】
2006112705.tif 000006
【図５】
2006112705.tif 000007
【図６】
2006112705.tif 000008
【図７】
2006112705.tif 000009